(57)【要約】【課題】比較的簡単な構成に基づいて、水ポンプにおける呼び水導入を効果的に行うと共に、消火泡あるいは消火水を選択的に放出する機能を有する、消火装置を提供することを課題とする。【解決手段】本発明は、水ポンプ１０と、水ポンプ１０に接続された水潤滑式コンプレッサ２０とを備えた消火装置１であって、水ポンプ１０には、吸水配管部１３と、第一吐出配管部１１と、第二吐出配管部１２とが設けられており、第一吐出配管部１１はノズル部３０に接続され、第二吐出配管部１２は水潤滑式コンプレッサ２０に接続されており、第一吐出配管部１１とノズル部３０との間には消火原液配管部４１が接続され、消火原液配管部４１とノズル部３０との間には水潤滑式コンプレッサ２０に連通しているコンプレッサ吐出配管部２４が接続されていることを特徴としている。【選択図】図１
2013188404.tif 000002
【特許請求の範囲】
【請求項１】
水ポンプと、前記水ポンプに接続された水潤滑式コンプレッサとを備えた消火装置であって、
前記水ポンプには、吸水配管部と、第一吐出配管部と、第二吐出配管部とが設けられており、
前記第一吐出配管部はノズル部に接続され、前記第二吐出配管部は前記水潤滑式コンプレッサに接続されており、
前記第一吐出配管部と前記ノズル部との間には消火原液配管部が接続され、前記消火原液配管部と前記ノズル部との間には前記水潤滑式コンプレッサに連通しているコンプレッサ吐出配管部が接続されている
ことを特徴とする消火装置。
【請求項２】
水ポンプと、前記水ポンプに接続された水潤滑式コンプレッサとを備えた消火装置であって、
前記水ポンプには、吸水配管部と、第一吐出配管部と、第二吐出配管部とが設けられており、
前記水潤滑式コンプレッサには、第一吸引配管部と、第二吸引配管部と、第三吸引配管部と、コンプレッサ吐出配管部とが設けられており、
前記第一吐出配管部はノズル部に接続され、前記第一吐出配管部と前記ノズル部との間には消火原液配管部が接続されており、
前記第二吐出配管部は、前記水潤滑式コンプレッサの第一吸引配管部と第三吸引配管部に接続され、前記第一吸引配管部の上流側の前記第二吐出配管部には第一バルブ部が設けられ、前記第一吸引配管部と前記第三吸引配管部との間の前記第二吐出配管部には第二バルブ部が設けられており、
前記第三吸引配管部は、外気に連通すべく構成されており、
前記コンプレッサ吐出配管部は、前記消火原液配管部と前記ノズル部との間の前記第一吐出配管部に接続されている
ことを特徴とする消火装置。
【発明の詳細な説明】
【技術分野】
【０００１】
本発明は、消火装置に関するもので、例えば、消防車に搭載して使用可能な消火装置に関するものである。
【背景技術】
【０００２】
従来技術にかかる消火装置としては、水ポンプにて圧送した水を消火水として放水することによって消火を行うものや、水ポンプにて圧送した水に消火原液を混入させて消火泡として放出することによって消火を行うものが知られている。
【０００３】
上述した消火装置を構成する水ポンプは、通常の使用時において、消火水や消火泡を放出する前に、水ポンプに呼び水を導入して、水ポンプ内を呼び水にて満たす必要がある。このような水ポンプの呼び水に関する技術としては、例えば、特許文献１等に示す技術が知られている。
【０００４】
また、近年の消火装置としては、上述したように、水ポンプにて圧送した水に消火原液を混入させて消火泡として放出する装置が知られているが、実際の消火作業を行う場合には、その出火箇所や出火状態に応じて、消火泡を放出した方がよい場合もあれば、消火水を放出した方がよい場合もある。
【０００５】
すなわち、従来技術にかかる消火装置は、水ポンプにおける呼び水導入を行う構成が必要となったり、消火泡の生成を行うための構成が必要となったりするため、装置の煩雑化が避けられないという問題があった。
【先行技術文献】
【特許文献】
【０００６】
【特許文献１】特開平７−４２６７５号公報
【発明の概要】
【発明が解決しようとする課題】
【０００７】
そこで、本発明は、上記従来技術の問題を解決するためになされたものであって、比較的簡単な構成に基づいて、水ポンプにおける呼び水導入を効果的に行うと共に、消火泡あるいは消火水を選択的に放出する機能を有する、消火装置を提供することを課題とする。
【課題を解決するための手段】
【０００８】
本発明の第一態様は、上記課題を解決するためになされたものであり、水ポンプと、前記水ポンプに接続された水潤滑式コンプレッサとを備えた消火装置であって、前記水ポンプには、吸水配管部と、第一吐出配管部と、第二吐出配管部とが設けられており、前記第一吐出配管部はノズル部に接続され、前記第二吐出配管部は前記水潤滑式コンプレッサに接続されており、前記第一吐出配管部と前記ノズル部との間には消火原液配管部が接続され、前記消火原液配管部と前記ノズル部との間には前記水潤滑式コンプレッサに連通しているコンプレッサ吐出配管部が接続されていることを特徴としている。
【０００９】
また、本発明の第二態様は、上記課題を解決するためになされたものであり、水ポンプと、前記水ポンプに接続された水潤滑式コンプレッサとを備えた消火装置であって、前記水ポンプには、吸水配管部と、第一吐出配管部と、第二吐出配管部とが設けられており、前記水潤滑式コンプレッサには、第一吸引配管部と、第二吸引配管部と、第三吸引配管部と、コンプレッサ吐出配管部とが設けられており、前記第一吐出配管部はノズル部に接続され、前記第一吐出配管部と前記ノズル部との間には消火原液配管部が接続されており、前記第二吐出配管部は、前記水潤滑式コンプレッサの第一吸引配管部と第三吸引配管部に接続され、前記第一吸引配管部の上流側の前記第二吐出配管部には第一バルブ部が設けられ、前記第一吸引配管部と前記第三吸引配管部との間の前記第二吐出配管部には第二バルブ部が設けられており、前記第三吸引配管部は、外気に連通すべく構成されており、前記コンプレッサ吐出配管部は、前記消火原液配管部と前記ノズル部との間の前記第一吐出配管部に接続されていることを特徴としている。
【発明の効果】
【００１０】
本発明によれば、比較的簡単な構成に基づいて、水ポンプにおける呼び水導入を効果的に行うと共に、消火泡あるいは消火水を選択的に放出する機能を有する、消火装置を得ることができる。
【図面の簡単な説明】
【００１１】
【図１】本発明の第一実施形態にかかる消火装置の概略構成図を示したものである。
【図２】本発明の第一実施形態にかかる消火装置の概略構成図を示し、具体的には、「呼び水時」における装置の駆動状態（流体配管部の開閉状態等）を示したものである。
【図３】本発明の第一実施形態にかかる消火装置の概略構成図を示し、具体的には、「放水時」における装置の駆動状態（流体配管部の開閉状態等）を示したものである。
【図４】本発明の第一実施形態にかかる消火装置の概略構成図を示し、具体的には、「泡放射時」における装置の駆動状態（流体配管部の開閉状態等）を示したものである。
【図５】本発明の第二実施形態にかかる消火装置の概略構成図を示したものである。
【発明を実施するための形態】
【００１２】
以下、図面に基づき、本発明の実施形態について説明する。
【００１３】
＜第一実施形態＞
図１は、本発明の第一実施形態にかかる消火装置の概略構成図を示したものである。また、図２〜図４は、本発明の第一実施形態にかかる消火装置の適切な使用状態における駆動状態（流体配管部の開閉状態等）を示したものである。具体的には、図２は、「呼び水時」における流体配管部の開閉状態等を示し、図３は、「放水時」における流体配管部の開閉状態等を示し、図４は、「泡放射時」における流体配管部の開閉状態等を示している。
【００１４】
この図１に示すように、本実施形態にかかる消火装置１は、水ポンプ１０、水潤滑式コンプレッサ２０、ノズル部３０、および消火原液槽４０等を複数の流体配管部を接続して構成されている。また、各構成要素を接続している流体配管部には、複数のバルブ部（第一バルブ部６１〜第四バルブ部６４）、および複数の逆止弁（第一逆止弁７１〜第四逆止弁７４）等が設けられている。
【００１５】
水ポンプ１０には、第一吐出配管部１１、第二吐出配管部１２、および吸水配管部１３が設けられている。水ポンプ１０に設けられている吸水配管部１３の一方端部は、水源Ｓから水を吸水可能な位置に設けられている。また、水ポンプ１０に設けられている第一吐出配管部１１は、ノズル部３０に接続されている。さらに、水ポンプ１０に設けられている第二吐出配管部１２は、水潤滑式コンプレッサ２０に接続されている。
【００１６】
水ポンプ１０とノズル部３０とを接続している第一吐出配管部１１には、第一逆止弁７１が設けられている。また、この第一逆止弁７１の下流側には、消火原液槽４０に連通する消火原液配管部４１が接続され、この消火原液配管部４１には第四逆止弁７４が設けられている。さらに、この第一吐出配管部１１における消火原液配管部４１との接続箇所の下流側には、水潤滑式コンプレッサ２０に連通するコンプレッサ吐出配管部２４が接続され、このコンプレッサ吐出配管部２４には第三逆止弁７３が設けられている。また、水ポンプ１０に設けられた第二吐出配管部１２には、第一バルブ部６１が設けられている。
【００１７】
水潤滑式コンプレッサ２０には、第一吸引配管部２１、第二吸引配管部２２、第三吸引配管部２３、およびコンプレッサ吐出配管部２４が設けられている。本実施形態にかかる水潤滑式コンプレッサ２０は、吸引および圧入（圧送）される水によってロータ軸受けの潤滑と、ロータ間の密閉とを行うことができ、潤滑水と密閉水とを分けて密閉水側で吸気させることにより、安定的に高い真空状態を発生させることが可能となる。
【００１８】
水潤滑式コンプレッサ２０の潤滑水吸引部に設けられている第一吸引配管部２１の一方端部は、水ポンプ１０に連通している第二吐出配管部１２における第一バルブ部６１の下流側に接続されている。この第二吐出配管部１２における第一吸引配管部２１の下流側には、第二バルブ部６２が設けられており、この第二バルブ部６２の下流側は、第三吸引配管部２３に接続されている。
【００１９】
水潤滑式コンプレッサ２０の外気吸気部に設けられている第二吸引配管部２２の一方端部は、外気を吸引可能に構成されており、この第二吸引配管部２２には、第三バルブ部６３が設けられている。
【００２０】
水潤滑式コンプレッサ２０の密閉水吸引部に設けられている第三吸引配管部２３の一方端部は、水槽５０に連通している軸受け潤滑配管部５１に接続されており、軸受け潤滑配管部５１には、第二逆止弁７２が設けられている。
【００２１】
水潤滑式コンプレッサ２０の水吐出部に設けられているコンプレッサ吐出配管部２４の一方端部は、第一吐出配管部１１における消火原液配管部４１が接続されている箇所の下流側に接続されており、このコンプレッサ吐出配管部２４には、第三逆止弁７３が設けられている。このコンプレッサ吐出配管部２４における第三逆止弁７３設置箇所の上流側には、ドレン配管部５２が接続されている。
【００２２】
上述したように、第一吐出配管部１１の下流側端部には、ノズル部３０が設けられている。このノズル部３０は、例えば、その口径（直径）が１６ｍｍから２３ｍｍ程度に構成されている。そして、このノズル部３０は、外部に開放されている。
【００２３】
消火原液槽４０には、上述したように、消火原液配管部４１が設けられており、その一方端部は、第一吐出配管部１１における第一逆止弁７１の設置箇所の下流側に接続され、この消火原液配管部４１には、第四逆止弁７４が設けられている。
【００２４】
この消火原液槽４０に貯留されている消火原液としては、例えば、界面活性剤があげられる。
【００２５】
水槽５０には、軸受け潤滑配管部５１、ドレン配管部５２、および覆水配管部５３が設けられている。
【００２６】
水槽５０に設けられている軸受け潤滑配管部５１は、上述したように、水潤滑式コンプレッサ２０に設けられている第三吸引配管部２３に接続されており、この軸受け潤滑配管部５１には、第二逆止弁７２が設けられている。水槽５０に設けられているドレン配管部５２の一方端部は、上述したように、コンプレッサ吐出配管部２４における第三逆止弁７３の上流側に接続されている。このドレン配管部５２には、第四バルブ部６４が設けられている。水槽５０に設けられている覆水配管部５３の一方端部は、水槽５０外部に開放された状態に構成されている。
【００２７】
本実施形態にかかる消火装置１は、以上のように構成されており、その構成上の特徴に基づき、「呼び水時」「放水時」および「泡放射時」の際に、次のように機能する。以下、図２〜図４を用いて具体的に説明する。
【００２８】
本実施形態にかかる消火装置１を用いて、消火水を放水する場合、あるいは消火泡を放射する場合のいずれの場合でも、水ポンプ１０を駆動させる必要がある。そして、この水ポンプ１０を駆動させ、放水および泡放射する場合には、まず、水ポンプ１０内を呼び水にて満たさなければならない。本実施形態においては、この呼び水が水潤滑式コンプレッサ２０を用いて水ポンプ１０内に導入されるべく構成されている。
【００２９】
図２は、本実施形態にかかる消火装置１の「呼び水時」における装置の駆動状態（流体配管部の開閉状態等）を示したものである。
【００３０】
この図２に示すように、本実施形態にかかる消火装置１は、水ポンプ１０を呼び水にて満たす場合、第二吐出配管部１２に設けられた第一バルブ部６１、およびドレン配管部５２に設けられた第四バルブ部６４を「開」状態とする。そして、第二吐出配管部１２に設けられた第二バルブ部６２、および第二吸引配管部２２に設けられた第三バルブ部６３を「閉」状態とする。
【００３１】
本実施形態においては、この図２に示すような状態にそれぞれのバルブ部６１〜６４を開閉操作して、水潤滑式コンプレッサ２０を駆動させる。そうすると、水潤滑式コンプレッサ２０の潤滑水吸引部（第一吸引配管部２１）から、水ポンプ１０（に接続された吸水配管部１３および第二吐出配管部１２）を介して水源Ｓの水、密閉水吸引部（第三吸引配管部２３）から水槽５０中の水が吸引され、吸引された水は、水潤滑式コンプレッサ２０の水吐出部からドレン配管部５２を介して水槽５０に戻される。このとき、水潤滑式コンプレッサ２０は、軸受け潤滑配管部５１に設けられた第二逆止分７２を開放可能な負圧を発生させるべく駆動する。
【００３２】
このように、本実施形態においては、図２の状態にて水潤滑式コンプレッサ２０を駆動させることにより、水ポンプ１０内を呼び水にて満たすことが可能となり、以上のような第二吐出配管部１２および第一吸引配管部２１は、呼び水配管として機能する。
【００３３】
次に、本実施形態にかかる消火装置１を用いて放水を行う場合（放水時）における、消火装置１を構成する各装置の駆動状態を説明する。図３は、本実施形態にかかる消火装置１の「放水時」における装置の駆動状態（流体配管部の開閉状態等）を示したものである。
【００３４】
この図３に示すように、本実施形態にかかる消火装置１においては、ノズル部３０から消火水を放出する場合、図２にて説明したように水ポンプ１０内を呼び水にて満たした後、全てのバルブ部６１〜６４を「閉」状態として、水ポンプ１０を駆動させる。
【００３５】
本実施形態にかかる消火装置１によれば、図３に示すような状態にそれぞれのバルブ部６１〜６４を開閉操作して、水ポンプ１０を駆動させる。そうすると、吸水配管部１３を介して水源Ｓの水が吸水され、この吸水された水が水ポンプ１０にて圧送される（第一逆止弁７１を開放する圧力にて圧送される）。つまり、本実施形態によれば、水ポンプ１０を駆動させることによって、第一吐出配管部１１に設けられている第一逆止弁７１を開放する圧力にて水源Ｓの水が圧送され、吸水配管部１３および第一吐出配管部１１を介して、ノズル部３０から消火水を放出することができる。すなわち、本実施形態にかかる消火装置１は、この図３に示す状態にて、ノズル部３０を消火必要箇所に向けて、消火水を放出することができる。
【００３６】
次に、本実施形態にかかる消火装置１を用いて泡放射を行う場合（泡放射時）における、消火装置１を構成する各装置の駆動状態を説明する。図４は、本実施形態にかかる消火装置１の「泡放射時」における装置の駆動状態（流体配管部の開閉状態等）を示したものである。
【００３７】
この図４に示すように、本実施形態にかかる消火装置１においては、ノズル部３０から消火泡を放出する場合、図２にて説明したように水ポンプ１０内を呼び水にて満たした後、第一バルブ部６１、第二バルブ６２、および第三バルブ部６３を「開」状態とし、第四バルブ部６４を「閉」状態とする。そして、水ポンプ１０および水潤滑式コンプレッサ２０を駆動させる。
【００３８】
本実施形態においては、この図４に示すような状態にそれぞれのバルブ部６１〜６４を開閉操作して、水ポンプ１０および水潤滑式コンプレッサ２０を駆動させる。そうすると、吸水配管部１３を介して水源Ｓの水が吸水され、この吸水された水が水ポンプ１０にて、第一吐出配管部１１および第二吐出配管部１２に圧送される。
【００３９】
この図４の状態において、第一吐出配管部１１側では、水ポンプ１０の駆動力にて、第一吐出配管部１１に設けられている第一逆止弁７１を開放する圧力にて、吸水配管部１３および第一吐出配管部１１を介して、水源Ｓの水がノズル部３０に向けて圧送される。この際、消火原液槽４０に連通されている消火原液配管部４１を介して、第一吐出配管部１１に消火原液が混入される。ここで、消火原液配管部４１に設けられている第四逆止弁７４は、水ポンプ１０の吐出圧力および水潤滑式コンプレッサ２０の吐出圧力にて得られる負圧で開放されるべく構成されている。
【００４０】
次いで、第二吐出配管部１２側では、水ポンプ１０の駆動力にて、吸水配管部１３および第二吐出配管部１２を介して、水源Ｓの水が水潤滑式コンプレッサ２０に向けて圧送され、水潤滑式コンプレッサ２０の駆動力にて、第二吐出配管部１２から吐出された水と共に、第二吸引配管部２２を介して吸引される外気とが吸気され、水と外気とが混合された状態で、この混合流体（水と外気とが混合された流体）が、コンプレッサ吐出配管部２４に設けられている第三逆止弁７３を開放する圧力にて、第一吐出配管部１１に向けて圧送される。
【００４１】
本実施形態にかかる消火装置１によれば、第一吐出配管部１１を介して圧送される水および消火原液と、コンプレッサ吐出配管部２４を介して圧送される混合流体とが、第一吐出配管部１１にてミキシングされることによって「消火泡」が構成され、第一吐出配管部１１を介して、ノズル部３０から消火泡を放出することができる。すなわち、本実施形態にかかる消火装置１は、この図４に示す状態にて、ノズル部３０を消火必要箇所に向けて、消火泡を放出することができる。
【００４２】
さて、上述したように、本実施形態にかかる消火装置１は、図１〜図４に示すように構成され機能するため、次のような作用効果を得ることができる。以下、具体的な作用効果等について説明する。
【００４３】
本実施形態にかかる消火装置１は、以上のような構成に基づき、各バルブ部６１〜６４、水ポンプ１０、および水潤滑式コンプレッサ２０の操作を適切に行うことにより、呼び水導入作業、放水作業、および泡放射作業のそれぞれの作業を、効果的に行うことができる。より具体的には、水潤滑式コンプレッサ２０を用い、各図に示したような箇所に各バルブ部６１〜６４および各逆止弁７１〜７４を設けているため、比較的簡単な構成に基づいて、水ポンプにおける呼び水導入を効果的に行うと共に、消火泡あるいは消火水を選択的に放出する機能を有する消火装置１を得ることができる。
【００４４】
また、本実施形態にかかる消火装置１は、水ポンプ１０を呼び水で満たすための揚水装置として水潤滑式コンプレッサ２０を使用し、図１等に示したような適切な箇所に各バルブ部６１〜６４および各逆止弁７１〜７４を設けているため、従来の消火装置等にて必要であった止水弁や気水分離装置を必要としない。つまり、このような構成とすることにより、消火装置１の構成を簡略化することができる。
【００４５】
また、オイル潤滑式コンプレッサを用いる場合には、潤滑油乳化抑制のために高温運転が必要となるが、本実施形態にかかる消火装置１は、水潤滑式コンプレッサ２０を使用するため、このような高温運転が不要である。さらに、本実施形態にかかる消火装置１であれば、オイルセパレータも不要である。よって、このような構成とすることにより、消火装置１の構成を簡略化することができる。
【００４６】
また、本実施形態にかかる消火装置１によれば、第二吐出配管部１２を呼び水配管として利用しているため、揚水完了（図２の状態）から消火泡の放射（図４の状態）までの間において、必要最小限のバルブ操作にて、消火泡の放射作業を行うことができる。特に水ポンプ１０と水潤滑式コンプレッサ２０との間に設けられた第一バルブ部６１については開閉操作が不要である（開放状態のままで作業を行うことができる）。したがって、このような構成によれば、比較的簡単な構成にて、しかも短時間で泡放射作業を行うことができる、消火装置１を得ることができる。
【００４７】
また、本実施形態にかかる消火装置１は、水潤滑式コンプレッサ２０を使用しているため、気体であっても液体であっても吸引することができる。したがって、必要に応じて、不凍液等を吸引させることにより、呼び水装置（水潤滑式コンプレッサ２０等）の凍結を防止することもできる。
【００４８】
＜第二実施形態＞
次に、本発明の第二実施形態について説明する。
【００４９】
図５は、本発明の第二実施形態にかかる消火装置の概略構成図を示したものである。
【００５０】
この図５に示すように、本実施形態にかかる消火装置２は、基本的に第一実施形態と同様の構成を有しており、混合器８０を有する点のみが異なる。
【００５１】
すなわち、本実施形態にかかる消火装置２は、第一実施形態と略同様の構成等を有するため、第一実施形態と同様の作用効果を有する。
【００５２】
加えて、本実施形態にかかる消火装置２は、第一吐出配管部１１とコンプレッサ吐出配管部との接続箇所に混合器８０を設けているため、より機能性の高い泡（消火泡）を形成することができる。
【００５３】
＜その他の実施形態＞
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００５４】
上記実施形態においては、水ポンプ１０と水源Ｓとを吸水配管部１３にて接続する構成について説明したが、本発明この構成に限定されない。したがって、例えば、水ポンプと水槽５０とを吸水配管部１３にて接続し、水槽５０内の水を利用する構成としてもよい。このような構成によれば、消防車が消火箇所に到着した際、水源Ｓ等を必要とすることなく、スムーズに消火処理を行うことができる。
【００５５】
また、上記実施形態においては、軸受け潤滑配管部５１に第二逆止弁７２を設ける構成について説明したが、本発明はこの構成に限定されない。したがって、例えば、軸受け潤滑配管部５１に軸受け潤滑バルブを設け、必要に応じてこの軸受け潤滑バルブを「開」とし、水潤滑式コンプレッサ２０の軸部の冷却を行う構成としてもよい。
このような構成とした場合、上述した本実施形態にかかる消火装置１は、水ポンプ１０を呼び水にて満たす場合、第二吐出配管部１２に設けられた第一バルブ部６１、ドレン配管部５２に設けられた第四バルブ部６４、および軸受け潤滑配管部５１に設けられた軸受け潤滑バルブを「開」状態とする。そして、第二吐出配管部１２に設けられた第二バルブ部６２、および第二吸引配管部２２に設けられた第三バルブ部６３を「閉」状態とする。
【００５６】
さらに、上記実施形態等においては、軸受け潤滑配管部５１に第二逆止弁７２を設ける構成、あるいは軸受け潤滑配管部５１に軸受け潤滑バルブを設ける構成について説明したが、本発明はこの構成に限定されない。したがって、例えば、本発明においては、軸受け潤滑バルブに代えて、軸受け潤滑配管部５１に加圧ポンプを設ける構成とし、必要に応じてこの加圧ポンプを作動させて、水潤滑式コンプレッサ２０の軸部に冷却水を送水する構成としてもよい。
【００５７】
また、本発明は上記実施形態に限定されず、必要に応じて、消火原液槽４０に接続されている消火原液配管部４１に加圧ポンプを設ける構成としてもよい。このような構成によれば、消火原液配管部４１に設けられた加圧ポンプにて消火原液を圧送することにより、第一吐出配管部１１に消火原液が混入される。
【００５８】
さらに、本発明は上記実施形態等に限定されず、例えば、第一吐出配管部１１と消火原液配管部４１との接続箇所にエジェクタを設ける構成としてもよい。このような構成によれば、水ポンプ１０の吐出圧力および水潤滑式コンプレッサ２０の吐出圧力を利用して、消火原液を混入させることができる。
【産業上の利用可能性】
【００５９】
本発明にかかる消火装置は、その使用箇所を特に限定されない。したがって、所定の場所に固定された消火装置として使用しても、また、消防車等に搭載して使用してもよい。
本発明にかかる消火装置は、上述したように、比較的簡単な構成であるため、消防車等に搭載する場合には、コスト削減を実現すると共に、車載スペースの有効活用を実現することができる。
【符号の説明】
【００６０】
１…消火装置（第一実施形態にかかる消火装置）
２…消火装置（第二実施形態にかかる消火装置）
１０…水ポンプ
１１…第一吐出配管部
１２…第二吐出配管部
１３…吸水配管部
２０…水潤滑式コンプレッサ
２１…第一吸引配管部
２２…第二吸引配管部
２３…第三吸引配管部
２４…コンプレッサ吐出配管部
３０…ノズル部
４０…消火原液槽
４１…消火原液配管部
５０…水槽
５１…軸受け潤滑配管部
５２…ドレン配管部
５３…覆水配管部
６１…第一バルブ部
６２…第二バルブ部
６３…第三バルブ部
６４…第四バルブ部
７１…第一逆止弁
７２…第二逆止弁
７３…第三逆止弁
７４…第四逆止弁
８０…混合器
Ｓ…水源
【図１】
2013188404.tif 000003
【図２】
2013188404.tif 000004
【図３】
2013188404.tif 000005
【図４】
2013188404.tif 000006
【図５】
2013188404.tif 000007